(57)【特許請求の範囲】
【請求項１】
壁面に取り付けられて、太陽電池が発電する直流電力を交流電力に変換する直交変換回路を備えるパワーコンディショナであって、
前記直交変換回路を内部に収容する本体と、
前記本体の背面に設けられた水切板と、を備え、
前記水切板は、前記本体の横幅よりも狭い横幅で形成された狭小部と、前記本体の横幅よりも広い横幅で前記狭小部の下側に形成された広大部とを有し、
前記広大部は、前記本体の背面から前記本体よりも下方に突出し、前記本体よりも下方に突出する部分が前記本体側に折り曲げられていることを特徴とするパワーコンディショナ。
【請求項２】
前記狭小部は、壁面に固定されて、前記本体を背面から保持する取付板であることを特徴とする請求項１に記載のパワーコンディショナ。
【請求項３】
前記水切板は、前記本体に一体に設けられていることを特徴とする請求項１に記載のパワーコンディショナ。
【発明の詳細な説明】
【技術分野】
【０００１】
本発明は、太陽光発電システムに用いられ、太陽電池が発電する直流電力を交流電力に変換するパワーコンディショナに関する。
【背景技術】
【０００２】
従来、太陽光発電システムに用いられ、太陽電池が発電する直流電力を交流電力に変換するパワーコンディショナが用いられている。パワーコンディショナには、例えば特許文献１に示すように、屋外に設置して用いられるものがある。
【先行技術文献】
【特許文献】
【０００３】
【特許文献１】特許第４０６３７１６号公報
【発明の概要】
【発明が解決しようとする課題】
【０００４】
上記のように、屋外に設置して用いられるパワーコンディショナは、壁面に固定された取付板に対してパワーコンディショナの本体を引っ掛けて取り付けられる場合がある。雨天時には、壁面を伝って取付板に到達した水が、取付板の側面に集中して流れ落ちる。そのため、取付板の側面の下方部分で壁面に汚れが生じやすく、住宅の外観を損なってしまうという問題があった。
【０００５】
本発明は、上記に鑑みてなされたものであって、壁面に汚れが生じるのを抑えることができる屋外設置型のパワーコンディショナを得ることを目的とする。
【課題を解決するための手段】
【０００６】
上述した課題を解決し、目的を達成するために、本発明は、壁面に取り付けられて、太陽電池が発電する直流電力を交流電力に変換する直交変換回路を備えるパワーコンディショナであって、直交変換回路を内部に収容する本体と、本体の背面から本体よりも下方に突出する水切板と、を備え、水切板は、本体の横幅よりも広い横幅に形成され、本体よりも下方に突出する部分が本体側に折り曲げられていることを特徴とする。
【発明の効果】
【０００７】
本発明によれば、水切板が本体よりも横幅が広いので、本体の側方で壁面を流れ落ちる水は、水切板上を流れることになる。そして、水切板上を流れる水は、水切板の下端に至る。水切板は本体よりも下方に突出する部分が本体側に折り曲げられているので、水切板の下端は壁面から離れることとなる。したがって、水切板上を流れる水は水切板の下端から滴下され、壁面を流れ落ちない。そのため、壁面に汚れが生じるのを抑えることができるという効果を奏する。
【図面の簡単な説明】
【０００８】
【図１】図１は、本発明の実施の形態１にかかるパワーコンディショナの外観斜視図である。
【図２】図２は、パワーコンディショナが備える直交変換回路を示す図である。
【図３】図３は、本体と取付板を分解した状態を示す斜視図である。
【図４】図４は、壁面に固定された取付板の横断面図である。
【図５】図５は、本発明の実施の形態２にかかるパワーコンディショナの外観斜視図である。
【発明を実施するための形態】
【０００９】
以下に、本発明の実施の形態にかかるパワーコンディショナを図面に基づいて詳細に説明する。なお、この実施の形態によりこの発明が限定されるものではない。
【００１０】
実施の形態１．
図１は、本発明の実施の形態１にかかるパワーコンディショナの外観斜視図である。図２は、パワーコンディショナが備える直交変換回路を示す図である。パワーコンディショナ１００は、本体１と取付板２を備える。本体１の内部には直交変換回路３が収容される。
【００１１】
直交変換回路３は、昇圧部４、インバータ部５、フィルタ部６を有する。図２に示すように、太陽光発電用のパワーコンディショナ１００は、太陽電池５０の発電電圧を昇圧部４で昇圧し、インバータ部５で交流に変換し、フィルタ部６で波形を整えて商用系統に出力する。
【００１２】
図３は、本体１と取付板２を分解した状態を示す斜視図である。パワーコンディショナ１００は、屋外設置型のものであり、建物の壁面に取り付けられて用いられる。パワーコンディショナ１００は、壁面に固定された取付板２に本体１を保持させることで壁面に取り付けられる。
【００１３】
図４は、壁面７に固定された取付板２の横断面図である。図４に示すように、取付板２は、ビスなどを用いて壁面７に固定される。そして、取付板２に形成された引っ掛け部２ａに本体１を引っ掛けることで、本体１が取付板２に保持される。このように、取付板２は、本体１の背面側に設けられることとなる。
【００１４】
取付板２には、その下側部分に水切板８が一体に設けられている。水切板８は、本体１の横幅よりも広い横幅で形成されている。また、水切板８は、本体１よりも下方に突出するとともに、その下端が壁面７から離れるように本体１側に折り曲げられている。
【００１５】
以上説明したように、水切板８が本体１よりも横幅が広いので、本体１の側方で壁面７を流れ落ちる水は、水切板８上を流れることになる。そして、水切板８上を流れる水は、水切板８の下端に至る。水切板８の下端は壁面７から離れているので、水切板８上を流れる水は水切板８の下端から滴下され、壁面７を流れ落ちない。そのため、壁面７に汚れが生じるのを抑えることができる。
【００１６】
なお、水切板８の折り曲げ箇所を１箇所にした例を挙げて説明しているが、これに限られない。例えば、水切板８の折り曲げ箇所を複数設けて、水切板８が本体１の下方に突出する部分で段階的に折り曲げられるように構成してもよい。
【００１７】
また、水切板８が取付板２に一体に形成された例を挙げて説明しているが、これに限られない。例えば、水切板８と取付板２とが別体で構成され、これらをビスなどで連結する構成としても構わない。
【００１８】
実施の形態２．
図５は、本発明の実施の形態２にかかるパワーコンディショナの外観斜視図である。なお、上記実施の形態と同様の構成にてついては、同様の符号を付して詳細な説明を省略する。
【００１９】
実施の形態２にかかるパワーコンディショナ１５０は、本体１を壁面に固定するための固定部１１が本体１に一体に形成されている。固定部１１には、ビス孔１１ａが形成されており、このビス孔１１ａを介して壁面にビスを用いて本体１が固定される。
【００２０】
また、本体１には、水切板１８が一体に形成されている。水切板１８は、本体１の背面側に本体１の幅よりも広く形成されるとともに、本体１の下方に突出した部分が本体１側に折り曲げられて、その下端が壁面から離れるようになっている。
【００２１】
このように、本体１に水切板１８を一体に形成した場合にも、上記実施の形態１と同様に、水切板１８上を流れる水は水切板１８の下端から滴下されるので、壁面７を流れ落ちない。そのため、壁面７に汚れが生じるのを抑えることができる。また、水切板１８および固定部１１を本体１に一体に形成することで、部品点数の削減を図ることができる。
【産業上の利用可能性】
【００２２】
以上のように、本発明にかかるパワーコンディショナは、太陽電池が発電する直流電力を交流電力に変換するパワーコンディショナに有用であり、特に、壁面に取り付けられる屋外設置型のパワーコンディショナに適している。
【符号の説明】
【００２３】
１  本体
２  取付板
２ａ  引っ掛け部
３  直交変換回路
４  昇圧部
５  インバータ部
６  フィルタ部
７  壁面
８  水切板
１１  固定部
１１ａ  ビス孔
１８  水切板
５０  太陽電池
１００，１５０  パワーコンディショナ
【図１】
0005734077.tif 000002
【図２】
0005734077.tif 000003
【図３】
0005734077.tif 000004
【図４】
0005734077.tif 000005
【図５】
0005734077.tif 000006